(57)【特許請求の範囲】
【請求項１】
前面を有するベースボード部分と該ベースボード部分の前記前面に形成されたレールブラケット部分であって前記ベースボード部分の前記前面に形成されたレールを有するレールブラケット部分とを有するベースブラケットと、対になって前記レールに滑動可能に取り付けられた複数のクランプとを含み、
前記レールは、前面と、２つの縁部と、それぞれが該縁部に形成され、長さ方向に伸びる２つの溝と、それぞれが前記前面に形成された複数の戻り止めとを有し、
各クランプは、端部と、それぞれが該端部に形成され、前記レールの前記溝に対応し、該溝に滑動可能に取り付けられた２つのフックと、該フックに形成され、前記フックから突出するアームとを有し、
該アームは、対応するアームの側面に隣接する側面と、端部と、前記側面に形成された顎状凹所と、前記レールの前記戻り止めの１つに対応する取付け用孔と、該取付け用孔に取り付けられ、対応する戻り止めと噛み合うボスとを有し、
該ボスは、前記取付け用孔に取り付けられたボールと、該ボールに隣接して前記取付け用孔に取り付けられた、前記クランプを前記レールに一時的に保持するために前記ボールを前記レールの対応する戻り止めに押し付けるスプリングとを有し、
前記顎状凹所は、湾曲しており、中央部と、該中央部に形成された矩形凹所部分とを有し、
前記レールブラケット部分は、前記ベースボード部分の前記前面と前記レールとの間に形成された２つのスペーサ部を有し、
前記ベースボード部分は、それぞれが該ベースボード部分を貫通する複数の掛け用孔を有し、
各戻り止めは半球状であり、
前記アームの前記取付け用孔は該アームの前記端部を経て伸び、
前記アームの前記ボスは、前記アームの前記取付け用孔に固定されたプラグを有する、道具ホルダー。
【発明の詳細な説明】
【技術分野】
【０００１】
本発明は、便利かつ容易に道具を保持するために動かして調節することができる道具ホルダーに関する。
【背景技術】
【０００２】
道具ホルダーは、レンチ、ドライバー又はソケットのような道具を壁に保持するために用いられている。従来の道具ホルダーは、ベースボードと、複数の固定式ホルダー部材とを有する。前記ベースボードは、該ベースボードを留め具により前記壁に取り付けられるようにするため、それぞれが前記ベースボードを貫通する複数の孔を有する。前記固定式ホルダー部材は、前記道具を前記道具ホルダーに保持するために前記ベースボードに固定されたループからなる。
【発明の開示】
【発明が解決しようとする課題】
【０００３】
しかし、前記固定式ホルダー部材が前記ベースボードに固定され、互いに隣接する２つの固定式ホルダー部材間の間隔を変えられないため、該間隔を、保持された前記道具の幅に合わせて変更することができず、不便である。
【０００４】
本発明は、前記した問題点を改善する道具ホルダーを提供する。
【０００５】
本発明の目的は、便利かつ容易に道具を保持するために動かして調節することができる道具ホルダーを提供することである。
【課題を解決するための手段】
【０００６】
本発明に係る道具ホルダーは、ベースブラケットと、複数のクランプとを有する。前記ベースブラケットは、ベースボード部分と、レールブラケット部分とを有する。前記レールブラケット部分は、前記ベースボード部分の前面に形成されており、レールを有する。前記レールは、それぞれが該レールの縁部に形成され、長さ方向に伸びる２つの溝と、それぞれが前記レールの前面に形成された複数の戻り止めとを有する。前記クランプは対になって前記レールに滑動可能に取り付けられている。各クランプは、２つのフックと、アームとを有する。各フックは前記レールの前記溝に滑動可能に取り付けられている。前記アームは、前記フックに形成され、該フックから突出しており、顎状凹所と、取付け用孔と、ボスとを有する。前記顎状凹所は前記アームの側面に形成されている。前記取付け用孔は前記レールの前記戻り止めの１つと対応している。前記ボスは、前記取付け用孔に取り付けられ、対応する戻り止めと噛み合っており、プラグと、ボールと、スプリングとを有する。
【０００７】
本発明の他の目的、利点、新規な特徴は、添付の図面に関する以下の詳細な説明からより明らかになる。
【発明を実施するための最良の形態】
【０００８】
図１ないし４に示すように、道具ホルダーは、ベースブラケット１０と、複数のクランプ２１とを含む。
【０００９】
ベースブラケット１０は壁又は他の垂直な表面に掛けられる。ベースブラケット１０は、ベースボード部分１１と、レールブラケット部分１２とを有する。
【００１０】
ベースボード部分１１は、前面と、複数の掛け用孔１１１とを有する。各掛け用孔１１１はベースボード部分１１を貫通している。
【００１１】
レールブラケット部分１２は、ベースボード部分１１の前記前面に形成されており、レール１２２と、少なくとも１つのスペーサ部１２１とを有する。
【００１２】
レール１２２は、ベースボード部分１１の前記前面に形成されており、前面と、２つの縁部と、それぞれが長さ方向に伸びる２つの溝１２３と、複数の戻り止め１２４とを有する。各溝１２３はレール１２２の前記縁部に形成されている。各戻り止め１２４は、半球状であり、レール１２２の前記前面に形成されている。
【００１３】
スペーサ部１２１は、ベースボード部分１１の前記前面とレール１２２との間に溝１２３を形成するためにベースボード部分１１の前記前面とレール１２２との間に形成されている。
【００１４】
クランプ２１は、対になってレール１２２に滑動可能に取り付けられている。各クランプ２１は、端部と、２つのフック２１１と、アームとを有する。
【００１５】
各フック２１１は、クランプ２１の前記端部に形成され、レール１２２の溝１２３に対応しており、該溝に滑動可能に取り付けられている。
【００１６】
クランプ２１の前記アームは、フック２１１に形成され、該フックから突出しており、側面と、端部と、顎状凹所２１２と、取付け用孔２１４と、ボスとを有する。
【００１７】
対応する２つのアームの前記側面は互いに隣接している。
【００１８】
顎状凹所２１２は、アームの前記側面に形成され、湾曲しており、中央部と、矩形凹所部分２１３とを有する。矩形凹所部分２１３は顎状凹所２１２の前記中央部に形成されている。
【００１９】
取付け用孔２１４は、レール１２２の戻り止め１２４の１つと対応しており、前記アームの前記端部を経て伸び、内面と、雌ねじ２１８とを有する。雌ねじ２１８は前記アームの前記端部にあって取付け用孔２１４の前記内面に形成されている。
【００２０】
図３、８に示すように、前記ボスは、取付け用孔２１４に取り付けられ、対応する戻り止め１２４と噛み合っており、プラグ２１５、２１５’と、ボール２１６と、スプリング２１７とを有する。プラグ２１５、２１５’は、前記アームの前記端部から取付け用孔２１４に取り付けられ、留め具又はポストからなる。プラグ２１５は雄ねじ２１９を有する。雄ねじ２１９は取付け用孔２１４の雌ねじ２１８と螺合されている。ボール２１６は取付け用孔２１４に取り付けられている。スプリング２１７は、ボール２１６に隣接して取付け用孔２１４に取り付けられており、クランプ２１をレール１２２に一時的に保持するためにボール２１６をレール１２２の対応する戻り止め１２４に押し付ける。
【００２１】
図５に示すように、前記道具ホルダーのベースブラケット１０は、ハンガーボード又は壁のような表面に掛けられ、ソケットレンチ４０又はモンキーレンチ５０のような道具がクランプ２１間にあって該クランプにより締め付けられている。
【００２２】
図６Ａ、６Ｂ、７Ａ、７Ｂに示すように、クランプ２１は、該クランプ間にレンチ４０、５０を配置できるようにするために離される。その後、クランプ２１は、顎状凹所２１２又は矩形凹所部分２１３でレンチ４０、５０を締め付けるために閉じられる。スプリング２１７がボール２１６を対応する戻り止め１２４に押し付けるため、クランプ２１は、便利かつ容易にレンチ４０、５０を保持するために維持される。
【図面の簡単な説明】
【００２３】
【図１】本発明に係る道具ホルダーの斜視図。
【図２】図１に示した道具ホルダーの拡大斜視図。
【図３】図１に示した道具ホルダーの分解斜視図。
【図４】図１に示した道具ホルダーの側断面図。
【図５】ハンガーボードに掛けられ、ソケットレンチ及びモンキーレンチを保持する、図２に示した道具ホルダーの斜視図。
【図６Ａ】ソケットレンチを保持する、図１に示した道具ホルダーの操作時の水平断面図。
【図６Ｂ】ソケットレンチを保持する、図１に示した道具ホルダーの操作時の水平断面図。
【図７Ａ】モンキーレンチを保持する、図１に示した道具ホルダーの操作時の水平断面図。
【図７Ｂ】モンキーレンチを保持する、図１に示した道具ホルダーの操作時の水平断面図。
【図８】ソケットレンチを保持する、本発明の他の実施例に係る道具ホルダーの分解水平断面図。
【符号の説明】
【００２４】
１０    ベースブラケット
１１    ベースボード部分
１２    レールブラケット部分
２１    クランプ
１１１    掛け用孔
１２１    スペーサ部
１２２    レール
１２３    溝
１２４    戻り止め
２１１    フック
２１２    顎状凹所
２１３    矩形凹所部分
２１４    取付け用孔
２１５、２１５’    プラグ
２１６    ボール
２１７    スプリング
２１８    雌ねじ
２１９    雄ねじ
【図１】
0005025441.tif 000002
【図２】
0005025441.tif 000003
【図３】
0005025441.tif 000004
【図４】
0005025441.tif 000005
【図５】
0005025441.tif 000006
【図６Ａ】
0005025441.tif 000007
【図６Ｂ】
0005025441.tif 000008
【図７Ａ】
0005025441.tif 000009
【図７Ｂ】
0005025441.tif 000010
【図８】
0005025441.tif 000011